(57)【特許請求の範囲】
【請求項１】
内フランジと外フランジをウェブで接続した断面略Ｈ型の外装フレームの前記内フランジの開放端面に弦楽器の甲板となる板部材の端部を接着したことを特徴とする弦楽器のボディ構造。
【請求項２】
外装フレームを中空体で構成したことを特徴とする請求項１記載の弦楽器のボディ構造。
【発明の詳細な説明】
【０００１】
【発明の属する技術分野】
本発明は、外表面を形成する甲板となる二枚の板部材の端部を接着して構成される中空構造あるいは中実構造の弦楽器のボディ構造に関する。
【０００２】
【従来の技術】
従来、弦楽器のボディ構造は、その外表面を形成する甲板となる二枚の板部材を対向させ、該板部材の端部をフレームとなる部材に接着して中空構造あるいは中実構造となるようにしている。このような弦楽器のボディ構造に関連する本願出願人による出願（特願平１１−３４１７２８号）においては、図４に示すごとき構造の特徴を具える。
【０００３】
即ち、同図ならびにその要部を拡大した断面図である図５において、符号３は、電気ギターなどの弦楽器のボディを示し、胴側部の外装フレームとしてのボディフレーム３０と、表甲板３１および裏甲板３２とにより外観の形態が形成されている。そして、前記表甲板３１および裏甲板３２の端部は、軽金属あるいは合成樹脂により図６に示すごとき形状に形成されたボディフレーム３０の段部３０Ａに接着して固定される。
【０００４】
【発明が解決しようとする課題】
従来のこのような弦楽器のボディの表甲板３１および裏甲板３２の接着構造においては、ボディ全体の形態の安定および弦の張力に対する強度を維持するため、通常，肉厚を大きくして成形しなければならない。したがって、必要とする剛性を得るためボディフレーム３０の肉厚を大きくして成形しているのであるが、成形物はそれぞれ固有の成型収縮率によって部分的に凹部が形成される現象、所謂ひけが図５の符号Ｇに示すごとく発生する。
【０００５】
また、表甲板３１および裏甲板３２をボディフレーム３０に接着する場合は、図７に示すようにボディフレーム３０の段部３０Ａに接着剤Ｐを塗布し、つづいて図８に示すごとく表甲板３１および裏甲板３２の端部を前記段部３０Ａに突き合わせ、この接着部分を圧締する。すると、表甲板３１および裏甲板３２の端部裏面の押圧により接着剤Ｐが図８に示すようにボディフレーム３０と表甲板３１および裏甲板３２の接合部に吹き出して漏出する。
【０００６】
このような状態になると、当然、外観を損ない商品性を低下するため、漏出した接着剤Ｐを除去しなければならないのであるが、表甲板３１および裏甲板３２は通常木質材料を使用しているため、その端部表面に接着剤Ｐが染み込み、除去が困難なものとなる。一方、ボディフレーム３０が合成樹脂である場合は、接着剤と合成樹脂の高い馴染み性により除去し難いものとなり、一旦、接着剤Ｐが付着するとこれを除去するのが困難となる。また、ボディフレームは、通常後加工を必要としない仕上げ状態に成形されるもので、鏡面仕上げされたようなボディフレームの表面には僅かでも接着剤の漏出を避けなければならない。
【０００７】
【課題を解決するための手段】
そこで本発明は、以下に述べる各手段により上記課題を解決するようにした。即ち、請求項１記載の発明では、内フランジと外フランジをウェブで接続した断面略Ｈ型の外装フレームの前記内フランジの開放端面に弦楽器の甲板となる板部材の端部を接着する。
【０００８】
請求項２記載の発明では、上記請求項１記載の発明において、外装フレームを中空体で構成する。
【０００９】
【発明の実施の形態】
つぎに、本発明の実施の形態を電気ギターなどの弦楽器のボディに実施した例にもとづいて詳細に説明する。
【００１０】
図１は、本発明を実施した弦楽器の要部断面図であり、符号１０はボディフレームを示す。このボディフレーム１０は断面略Ｈ型に形成されたものであって、内フランジ１１と外フランジ１２をウェブ１３で連結した形状となっており、内フランジ１１と外フランジ１２との間に空隙１４・１５が形成される。そして、外フランジ１２の両端には、表甲板１６と裏甲板１７の端部を突き合わせて位置決めするための段部１８・１９が形成されている。
【００１１】
ボディフレーム１０はこのように形成されており、図２に示すごとく内フランジ１１の開放端面１１Ａ・１１Ｂのみに接着剤Ｐを塗布し、表甲板１６、裏甲板１７の端部をボディフレーム１０の段部１８・１９に突き合わせて接着部を圧締する。このようにして表甲板１６、裏甲板１７とボディフレーム１０との組み立てがなされると、図１に示すごとく、前記内フランジの開放端面１１Ａ・１１Ｂに塗布した余分な接着剤Ｐは、表甲板１６、裏甲板１７の裏面と内フランジ１１の垂壁とが接する境界から吹き出し漏出する。
【００１２】
図３は、ボディフレーム１０を押出成形などにより中空体となるように構成したもので、この場合においても内フランジ１１の開放端面１１Ａ・１１Ｂのみに接着剤Ｐを塗布し、表甲板１６、裏甲板１７の端部をボディフレー１０の段部１８・１９に突き合わせて接着部を圧締する。したがって、前記内フランジの開放端面１１Ａ・１１Ｂに塗布した余分な接着剤Ｐは、表甲板１６、裏甲板１７の裏面と内フランジ１１の垂壁とが接する境界から吹き出し漏出する。
【００１３】
以上の説明から明らかなように、本発明では、弦楽器の表甲板および裏甲板を固定するボディフレームにウェブで連結された状態の内フランジと外フランジを形成し、内フランジの開放端面みに接着剤を塗布するようにしたので、この接着剤がボディの外表面に漏出することがない。また、内フランジと外フランジの間に空隙が形成されるので、ボディフレームの外表面にひけによる凹部が形成されることがなく、同時に軽量化を実現することができる。
【００１４】
【発明の効果】
本発明によれば、外装フレームを断面略Ｈ型にしてその内フランジの開放端面のみに接着剤を塗布し、弦楽器の甲板となる板部材の端部を接着して固定するようにしたので、外装フレームと表甲板および裏甲板との接合部からこの接着剤が吹き出して漏出することがなく、汚損を未然に防止することができる。かかる効果により、ボディの組立時に接着剤が漏出する不具合を払拭することができるので、このような問題に拘束されることなく組立作業性を向上することができる。
【００１５】
また、本発明によれば、外装フレームを断面略Ｈ型に形成したことにより肉厚を小さくすることができるので、ひけによる凹部が形成されず外観ならびに商品性を低下することがない。そして、外装フレームを中空体で構成した場合、軽量化した弦楽器のボディを構成することが可能となる。
【図面の簡単な説明】
【図１】本発明を実施した弦楽器の要部断面図である。
【図２】本発明の組立工程を示す斜視図である。
【図３】本発明の他の実施例を示す断面図である。
【図４】従来の弦楽器のボディ構造の一例を示す断面図である。
【図５】従来の弦楽器のボディ構造の要部断面図である。
【図６】従来の弦楽器のボディフレームを示す斜視図である。
【図７】従来の弦楽器の組立工程を示す斜視図である。
【図８】従来の弦楽器の組立工程における不具合の状態を示す斜視図である。
【符号の説明】
１・・・・・・弦楽器のボディ
１０・・・・・ボディフレーム
１１・・・・・内フランジ
１２・・・・・外フランジ
１３・・・・・ウェブ
１４・・・・・空隙
１５・・・・・空隙
１６・・・・・表甲板
１７・・・・・裏甲板
１８・・・・・段部
１９・・・・・段部
Ｐ・・・・・・接着剤
【図１】
0003675300.tif 000002
【図２】
0003675300.tif 000003
【図３】
0003675300.tif 000004
【図４】
0003675300.tif 000005
【図５】
0003675300.tif 000006
【図６】
0003675300.tif 000007
【図７】
0003675300.tif 000008
【図８】
0003675300.tif 000009